(57)【要約】      （修正有）【課題】複数本の綿棒を収容しつつ便利に使用可能な綿棒ケースを提供する。【解決手段】綿棒ケース１０は、複数本の綿棒２０を上下方向に立てた状態で収容する収容室１１を形成し、開口部１２ｅを有する有底筒状のケース本体１２と、開口部の蓋をする蓋部１４と、蓋部の内側に鏡面１８ａを有する鏡部１８と、を備える。【選択図】図２
0003194602.tif 000002
【実用新案登録請求の範囲】
【請求項１】
複数本の綿棒を上下方向に立てた状態で収容する収容室を形成し開口部を有する有底筒状のケース本体と、
前記開口部の蓋をする蓋部と、
前記蓋部の内側に鏡面を有する鏡部と、
を備えることを特徴とする綿棒ケース。
【請求項２】
前記ケース本体はヒンジ部を備え、
前記蓋部は、前記ヒンジ部を介して前記ケース本体に連結する、請求項１に記載の綿棒ケース。
【請求項３】
前記ケース本体は透明部材により形成される、請求項１又は２に記載の綿棒ケース。
【請求項４】
前記ケース本体の外側表面にダイヤモンドカットが施される、請求項１から３の何れか一項に記載の綿棒ケース。
【考案の詳細な説明】
【技術分野】
【０００１】
本考案は、複数本の綿棒を収容するための綿棒ケースに関する。
【背景技術】
【０００２】
数本の綿棒を携帯するとき、ティッシュペーパーや他の紙に包んで携帯する場合があるが、携帯中に綿棒同士が擦れ合って、綿棒の頭部の綿が乱雑になったり、綿に細かいゴミが付着して汚れたりして非衛生的であるという課題がある。そのため、従来、綿棒を衛生的に持ち運ぶことができるよう、複数本の綿棒を収容可能な綿棒ケースが使用されている。特許文献１には、持ち運びを容易にした、円筒、箱型、開閉型の綿棒ケースを開示される。
【先行技術文献】
【特許文献】
【０００３】
【特許文献１】実開平２−９４５３４号公報
【考案の概要】
【考案が解決しようとする課題】
【０００４】
外出先等で綿棒を使用するとき、例えば化粧をするときに鏡が自分の周囲に無かったり、携帯していなかったりする場合がある。そのようなとき、綿棒ケースに鏡が付いていると便利である。本考案は、複数本の綿棒を収容しつつ、且つ便利に使用可能な綿棒ケースを提供することを目的とする。
【課題を解決するための手段】
【０００５】
上記課題を解決するために、請求項１に記載の考案は、複数本の綿棒を上下方向に立てた状態で収容する収容室を形成し、開口部を有する有底筒状のケース本体と、前記開口部の蓋をする蓋部と、前記蓋部の内側に鏡面を有する鏡部と、を備えることを特徴とする、綿棒ケースを提供する。
【０００６】
請求項２に記載の考案は、請求項１に記載の綿棒ケースにおいて、前記ケース本体はヒンジ部を備え、前記蓋部は、前記ヒンジ部を介して前記ケース本体に連結する、綿棒ケースを提供する。
【０００７】
請求項３に記載の考案は、請求項１又は２の何れか一項に記載の綿棒ケースにおいて、前記ケース本体は透明部材により形成される、綿棒ケースを提供する。
【０００８】
請求項４に記載の考案は、請求項１から３の何れか一項に記載の綿棒ケースにおいて、前記ケース本体の外側表面にダイヤモンドカットが施される、綿棒ケースを提供する。
【考案の効果】
【０００９】
本考案の綿棒ケースは、蓋部の内側に鏡面を有する鏡部を備える。そのため、ユーザーは蓋部を開けることで蓋部の内側に設けられた鏡面を見ながら綿棒を使用することができる。別途手鏡等を携帯する必要がなく、綿棒ケースを便利に使用できる。
【図面の簡単な説明】
【００１０】
【図１】本考案の実施形態による綿棒ケースを示す図であり、図１（ａ）は綿棒ケースの正面図、図１（ｂ）は綿棒ケースの側面図である。
【図２】本考案の実施形態による綿棒ケースを示す斜視図である。
【図３】本考案の実施形態による綿棒ケースを示す、図１のIII−III線に沿った断面図である。
【図４】図４（ａ）〜（ｃ）は底壁の別の形状を示す図である。
【考案を実施するための形態】
【００１１】
以下、本考案の実施形態による綿棒ケースを図面に基づいて説明する。以下の実施形態において同一又は類似の構成要素には共通の参照符号を付して示し、理解を容易にするために、これら図面は縮尺を適宜変更している。また、本考案の技術範囲はそれらの実施形態に限定されず、実用新案登録請求の範囲に記載した考案とその均等物におよぶ点に留意されたい。
【００１２】
図１から図３に示すように、本考案の実施形態による綿棒ケース１０は、複数本の綿棒２０を上下方向（図１〜３の軸線Ａ方向）に立てた状態で収容する収容室１１を形成し、開口部１２ｅを有する有底筒状のケース本体１２と、ケース本体１２の上端部において、開口部１２ｅの蓋をする蓋部１４とを備える。
【００１３】
ケース本体１２は、側壁１２ａと底壁１２ｂとを備える。側壁１２ａは筒状で外表面を有し、側壁１２ａの上端部において、収容室１１に綿棒を挿入する開口部１２ｅを形成する。また、上述したように側壁１２ａの内側には複数の綿棒を収容する収容室１１が形成される。収容室１１の軸線Ａ方向の長さＬ１は、綿棒２０（図３の綿棒２０ｃ参照）の長さＬ２よりも短く、綿棒２０を収容室１１に収容したとき、綿棒２０の上端部が開口部１２ｅよりはみ出るようになっている。
【００１４】
図示実施形態の蓋部１４は中空部１４ａを有し、略ドーム型に形成される。また、蓋部１４の底には綿棒の上端部を挿入可能な開口部１４ｂを有する。蓋部１４の外観はキャラクターの形状に形成されてよく、本実施形態の蓋部１４は図１〜３に示すようにＨＥＬＬＯＫＩＴＴＹ（登録商標）の外観を有するよう形成される。このキャラクターは、別のものであってもよく、例えばｃｉｎｎａｍｏｒｏｌｌ（登録商標）やＭＹＭＥＬＯＤＹ（登録商標）の頭部の形状であってよい。当然のことながら、蓋部１４はケース本体１２の上端部にあわせて形成されていればよく、キャラクターの形状に形成されなくてもよい。蓋部１４は、開口部１２ｅからはみ出る綿棒の上端部を覆うよう、ケース本体１２の上端部に取付けられる。また、本実施形態の蓋部１４は、ケース本体１２の上端部に設けられたヒンジ部１６を介して、ケース本体１２に回動自在に連結される。
【００１５】
本実施形態の蓋部１４の内側、すなわち中空部１４ａに、鏡面１８ａを有する鏡部１８が設けられる。図３に示すように、鏡部１８は、その周縁が、蓋部１４の内周面に設けられた保持部１５により保持されることで固定される。鏡部１８の鏡面１８ａは、蓋部１４の開口部１４ｂに向けて取付けられる。ユーザーは、蓋部１４を図３の矢印Ｂ方向にヒンジ部１６を中心に回動させることにより、鏡部１８の鏡面１８ａを見ることができる。
【００１６】
綿棒ケース１０が鏡部１８を備えることから、ユーザーは綿棒ケース１０の鏡部１８を見て綿棒を使用することができる。そのため、ユーザーは別途手鏡等を携帯する必要がない。また、蓋部１４はケース本体１２にヒンジ部１６により連結されており、蓋部１４の回動を図３に示すように所定の位置で止めることができる。そのため、例えばユーザーは、綿棒ケース１０を机やテーブル等に立て、所定の角度でもって鏡部１８を設置することができ、鏡部１８を見ながら綿棒を使用することができる。
【００１７】
本実施形態のケース本体１２の底壁１２ｂは、ケース本体１２の軸線Ａ方向において、横並びに収容された複数の綿棒２０のうち、少なくとも１本の綿棒２０ａの下端部２０ａａを、他の綿棒（例えば綿棒２０ｂ、２０ｃ）の下端部（下端部２０ｂａ、２０ｃａ）とは異なる位置・高さで支持するよう形成される支持面１２ｃを有する。
【００１８】
図３に示すように本実施形態の底壁１２ｂは、ケース本体１２の軸線Ａに対して傾斜するよう設けられており、底壁１２ｂの支持面１２ｃは、複数の綿棒２０の一部、例えば図３の綿棒２０ａの下端部２０ａａを、他の綿棒２０ｂ、２０ｃの下端部２０ｂａ、２０ｃａとは異なる高さで支持する。そのため、蓋部１４を開けたとき、綿棒２０ａの上端部２０ａｂが、他の綿棒２０ｂ、２０ｃの上端部２０ｂｂ、２０ｃｂよりも上方に飛び出した状態となる。綿棒２０ａの上端部２０ａｂが飛び出ていることから、ユーザーは、飛び出た綿棒の上端部を挟持することが容易になり、綿棒ケース１０から綿棒を個別に取り出すことができる。
【００１９】
図３に示す支持面１２ｃは、ケース本体１２の軸線Ａに対して全体的に傾斜した形状を有するが、図４（ａ）に示すように、支持面１２ｃは、その一部分において傾斜した面１２ｄを有してもよい。図４（ｂ）に示すように支持面１２ｃは傾斜した面に限らず、綿棒２０の下端部の幅に対応した階段状に形成されてもよい。また、図４（ｃ）に示すように支持面１２ｃは山型に形成されてもよい。また、特に綿棒の上端部を飛び出させる必要がない場合は、支持面１２ｃを平坦に形成してもかまわない。
【００２０】
複数本の綿棒２０を収容室１１にぎっしりと詰めて入れたとき、複数本の綿棒２０の上端部の高さが均一であると、ユーザーは綿棒２０の上端部をつまむことが困難であり、綿棒を取り出し難い。本実施形態のように、一部の綿棒の上端部が、他の綿棒の上端部より高くなれば、容易に綿棒の上端部をつまむことが容易にとなり、綿棒を取り出しやすくなる。
【００２１】
本実施形態のケース本体１２は、透明なプラスチックから形成される。そのため、蓋部１４を閉じた状態でも、収容室１１の綿棒２０を外から視認することができ、例えば、綿棒の有無や数量を確認することができる。また、ケース本体１２の側壁１２ａの外側表面はダイヤモンドカットが施され多面化されている。そのため、ダイヤモンドカットが施された部分を通過する光が乱反射され、綿棒ケース１０は意匠的に優れた外観を備えるようになる。
【００２２】
ケース本体１２は、プラスチック以外の材料から作製されてよく、例えば紙、ガラス、金属により形成されてよい。本実施形態のケース本体１２は、透明な材料から形成されているが、不透明な材料や半透明の材料から形成されてもよい。
【００２３】
以上、本実施形態による綿棒容器について、図を参照することにより説明した。本考案の綿棒ケースは蓋部の内側に鏡部を備えるので、綿棒を使用する際、いつでも鏡を見ながら綿棒を使用することができる。なお、実施形態の綿棒ケースは、蓋部がケース本体に対して回動自在に取付けられたヒンジ形式のタイプであるが、蓋部は、ケース本体を開閉さえ出来ればよいので、蓋部はケース本体に着脱自在に設けた着脱形式のタイプであってもかまわない。
【符号の説明】
【００２４】
１０    綿棒ケース
１１    収容室
１２    ケース本体
１２ａ    側壁
１２ｂ    底壁
１２ｃ    支持面
１２ｅ    開口部
１４    蓋部
１４ａ    中空部
１４ｂ    開口部
１６    ヒンジ部
１８    鏡部
１８ａ    鏡面
２０、２０ａ〜２０ｃ    綿棒
【図１】
0003194602.tif 000003
【図２】
0003194602.tif 000004
【図３】
0003194602.tif 000005
【図４】
0003194602.tif 000006
【手続補正書】
【提出日】平成26年9月26日(2014.9.26)
【手続補正１】
【補正対象書類名】明細書
【補正対象項目名】００１４
【補正方法】変更
【補正の内容】
【００１４】
図示実施形態の蓋部１４は中空部１４ａを有し、略ドーム型に形成される。また、蓋部１４の底には綿棒の上端部を挿入可能な開口部１４ｂを有する。図１〜３に示すように蓋部１４はケース本体１２の上端部にあわせて形成されていればよい。また、蓋部１４の外観は、キャラクターの形状に形成されてよく、例えばＨＥＬＬＯＫＩＴＴＹ（登録商標）、ｃｉｎｎａｍｏｒｏｌｌ（登録商標）やＭＹＭＥＬＯＤＹ（登録商標）の頭部の形状であってよい。蓋部１４は、開口部１２ｅからはみ出る綿棒の上端部を覆うよう、ケース本体１２の上端部に取付けられる。また、本実施形態の蓋部１４は、ケース本体１２の上端部に設けられたヒンジ部１６を介して、ケース本体１２に回動自在に連結される。
【手続補正２】
【補正対象書類名】図面
【補正対象項目名】図１
【補正方法】変更
【補正の内容】
【図１】
0003194602.tif 000007
【手続補正３】
【補正対象書類名】図面
【補正対象項目名】図２
【補正方法】変更
【補正の内容】
【図２】
0003194602.tif 000008
【手続補正４】
【補正対象書類名】図面
【補正対象項目名】図３
【補正方法】変更
【補正の内容】
【図３】
0003194602.tif 000009